(57)【要約】【課題】研磨ディスクの網目開口部が塞がれたとしても、摩擦熱によるワークの損傷を防止することができる積層型回転研磨具を提供する。【解決手段】積層型回転研磨具は、複数枚の柔軟性を有する薄肉の研磨ディスクを重ね合わせ、前記研磨ディスク間に放熱層を介在させたことを特徴とする。【選択図】　　図１
2004017168.tif 000002
【特許請求の範囲】
【請求項１】
複数枚の柔軟性を有する薄肉の研磨ディスクを重ね合わせ、前記研磨ディスク間に放熱層を介在させたことを特徴とする積層型回転研磨具。
【請求項２】
前記研磨ディスクを、繊維クロス製の基材に樹脂を含浸し、且つ、前記基材の表面に前記樹脂によって砥粒を付着して形成し、前記放熱層に空気流通孔を設けたことを特徴とする請求項１に記載の積層型回転研磨具。
【請求項３】
前記放熱層は、放熱特性に優れた金属箔又はプラスチックシートにより形成されたことを特徴とする請求項１又は２に記載の積層型回転研磨具。
【発明の詳細な説明】
【０００１】
【発明の属する技術分野】
本発明は、複数枚の研磨ディスクを積層して構成される回転研磨具に関する。
【０００２】
【従来の技術】
積層型回転研磨具は、グラインダーの回転軸に複数枚の研磨ディスクを重ね合わせた状態で取り付けて使用されるものであり、研磨作業時には、最も下側の研磨ディスクが磨耗すれば、未磨耗の研磨ディスクが表れて常に良好な研磨面で被研磨部材（以下、ワーク材という）と接することができる。
【０００３】
また、積層型回転研磨具の研磨ディスクは、網状に編成された基材に樹脂を含浸し、基材表面に砥粒を付着して形成され、また、研磨ディスクには多数の網目開口部が形成され、研磨作業により発生する摩擦熱は前記網目開口部を通って放熱されてワーク材（鋼、鋳鉄など）の焼けを防止できるようになっている。
【０００４】
しかし、多くの枚数の研磨ディスクを重ね合わせたときには、研磨ディスクの網目開口部が上下の研磨ディスクによって塞がれ、また、前記網目開口部が研削屑によって目詰まりを起こして冷却性能が低下し、放熱性能が低下してワークに焼けが発生するという問題があった。
【０００５】
そこで、目詰まりを防止するには研磨ディスクの目開き寸法を大きくすることが考えられるが、回転研磨具の機械強度が低下し、また、砥粒の含有量が少なくなって研削性能が低下するという問題が発生する。
【０００６】
【発明が解決しようとする課題】
本発明は、上記の点に鑑みてなされたものであって、その目的とするところは研磨ディスクの網目開口部が塞がれたとしても、摩擦熱によるワークの損傷を防止することができる積層型回転研磨具を提供する。
【０００７】
【課題を解決するための手段】
本発明の積層型回転研磨具は、複数枚の柔軟性を有する薄肉の研磨ディスクを重ね合わせ、前記研磨ディスク間に放熱層を介在させたことを特徴とするものである。
【０００８】
前記研磨ディスクを、繊維クロス製の基材に樹脂を含浸し、且つ、前記基材の表面に前記樹脂によって砥粒を付着して形成し、前記放熱層に空気流通孔を設けるのが好ましい。
【０００９】
前記放熱層は、放熱特性に優れた金属箔又はプラスチックシートにより形成されるのが好ましい。
【００１０】
【発明の実施の形態】
以下、本発明の実施の形態について図面を参照して説明する。
【００１１】
図１及び図２のように、積層型回転研磨具Ａは、複数枚の柔軟性を有する薄肉の研磨ディスク１と、アルミニウム箔２（以下、アルミ箔と略記する）とを備えており、図３のように、研磨ディスク１を重ね合わせることにより、前記研磨ディスク１間にアルミ箔２による放熱層２Ａが形成されている。また、放熱層２Ａは、アルミ箔２に代えて銅箔、鉛箔等の熱伝導性の良い金属箔を用いても良く、また、熱伝導率の良いプラスチックシートを用いて形成しても良く、この熱伝導率の良いプラスチックシートとしては、例えば、金属粉や窒化アルミ粉などを混入した樹脂を成形加工したものが考えられる。
【００１２】
研磨ディスク１は、目の粗い無機繊維クロス製の一枚の基材３に図外の砥粒を含む樹脂を含浸硬化させることより、図１（ｃ）のように基材３の外周面に砥粒が付着した樹脂層３Ａを形成する。また、無機繊維クロスの網目開口部４は樹脂によって塞がれない大きさに設定されている。また、研磨ディスク１の中央部には取付孔５が設けられ、研磨ディスク１の中央部は下面側が凹むように曲成されて凹み部６が形成されている。
【００１３】
なお、研磨ディスク１の製法は特に限定はされず、例えば、中央孔を有する円形状の基材３を無機繊維クロスから切り出し、前記基材３に砥粒を含む樹脂を含浸させ、中央部分が上方に突出するように成形して得ることができる。また、無機繊維クロスとしては、摩耗し易いガラス繊維クロス、炭素繊維クロス等が用いられる。
【００１４】
無機繊維クロスの織り方としては、平織、綾織、朱子等があるが特に限定されるものではない。また、含浸樹脂は、エポキシ樹脂、フェノール樹脂、不飽和ポリエステル樹脂等の熱硬化性樹脂であり、含浸樹脂の粘度は基材３の網目開口部４に樹脂が残らない大きさに設定されている。
【００１５】
アルミ箔２は、接着剤により研磨ディスク１に接着されているが、含浸樹脂の接着力により接着しても良い。また、研磨ディスク１の下面側にアルミ箔２を貼り付けるようにしても良い。
【００１６】
図２及び図３に示すように、積層型回転研磨具ＡをグラインダーＢの回転軸Ｂ１に取り付けて使用する場合には、複数枚の研磨ディスク１を重ね合わせ、研磨ディスク１の取付孔５に回転軸Ｂ１を挿通し、グラインダーＢの下フランジＢ２のねじ孔Ｂ３を回転軸Ｂ１のねじ部Ｂ４に螺合して回転軸Ｂ１に固定された上フランジＢ５と下フランジＢ２とで積層型回転研磨具Ａを挟持し、上下の研磨ディスク１にアルミ箔２を介して圧接させる。また、下フランジＢ２は研磨ディスク１の凹み部６に収納し、最上段の研磨ディスク１の上面側には補強パッドＣを配設する。
【００１７】
上述のようにして構成される研磨ディスク１は、しなやかで折れ難く腰があるので、前記研磨ディスク１を積層して得られる回転研磨具Ａは、図４に示すようにワークＤ面に馴染み、良好な研磨性能を発揮することができる。
【００１８】
また、研磨作業においてグラインダーＢの回転軸Ｂ１を回転させることにより、摩擦熱はアルミ箔２の放熱特性によって放熱され、摩擦熱によるワークＤの損傷を防止できる。
【００１９】
また、アルミ箔２は、軽くてしなやかであり、研磨ディスク１の柔軟性に追従することができる。また、研磨作業によって研磨ディスク１はすり減って小径化するが、それに伴ってアルミ箔２も摩滅するので、アルミ箔２によってワークＤを傷付けることもない。この結果、アルミ箔２によって研磨機能を低下させることなく、ワークＤの焼き付け等を防止することができる。
【００２０】
しかも、アルミ箔２は研磨ディスク１の表面の凹凸に沿って変形するので、研磨ディスク１間にアルミ箔２が介在しても前記アルミ箔２を介して研磨ディスク１同士をしっかりと噛み合わせることができる。すなわち、アルミ箔２をフラットな状態で研磨ディスク１表面に接着しても、上述のように上下の研磨ディスク１を重ね合わせて圧接することにより、アルミ箔２が研磨ディスク１の表面に押し付けられて研磨ディスク１表面の凹凸形状に合致するように変形する。したがって、アルミ箔２が存在しても研磨ディスク１同士の密着性は低下しない。
【００２１】
図５は変形態様例を示し、前記アルミ箔２に多数の小径の空気流通孔７を散点的に設けることにより、空気による冷却機能が低下するのを防止できるようになっている。
【００２２】
なお、図示の実施形態では、アルミ箔２の外径は研磨ディスク１よりも僅かに小さくなるように設定されているが、研磨ディスク１と同径に設定しても良い。
【００２３】
図６は他の変形態様例を示し、アルミ箔２の所定範囲を目立つ色で着色されて警告部８が形成されている。研磨ディスク１は、摩滅して小径化するのに伴い、グラインダーの下フランジがワークＤに衝突して研磨作業に支障が生じる場合がある。この変形態様例の場合は、研磨ディスク１の交換時期が近づいたときは、アルミ箔２の警告部が摩滅して研磨くずに混ざることにより、視覚を通じて研磨作業者に交換時期を知らせることができる。例えば、外径が１００ｍｍの研磨ディスク１であれば、直径５０ｍｍ〜６０ｍｍの範囲に警告部８を設ける。
【００２４】
【発明の効果】
本発明の積層型回転研磨具によれば、研磨ディスク間に放熱層を介在させたので、研磨作業により発生する摩擦熱は、放熱層を介して放出させることができ、摩擦熱によるワークの損傷を防止することができる。
【００２５】
また、前記放熱層として熱伝導性の良い金属箔を採用すれば、軽くてしなやかな金属箔は前記研磨ディスクの柔軟性に追従でき、また、研磨作業によって金属箔も摩滅するので、放熱層による研磨性能の低下を防止できる。また、金属箔を所定寸法に切断して研磨ディスクに介在させれば良いので、放熱層を形成するにも拘わらず、製造コストの面でも有利になる。
【００２６】
更に、前記金属箔に空気流通孔を設ければ、前記研磨ディスクの空気冷却によって摩擦熱の問題をより効果的に解消できる。
【図面の簡単な説明】
【図１】（ａ）は本発明の実施形態の積層型回転研磨具を構成する金属箔付き研磨ディスクの平面図、（ｂ）は同金属箔付き研磨ディスクの正面図、（ｃ）は同金属箔付き研磨ディスクの部分拡大した縦断面図である。
【図２】同積層型回転研磨具の回転軸への取付作業を示す正面図である。
【図３】同積層型回転研磨具の回転軸への取付状態を示す正面図である。
【図４】同積層型回転研磨具の使用状態を示す側面図である。
【図５】本発明の積層型回転研磨具の変形実施態様を示す平面図である。
【図６】本発明の積層型回転研磨具における他の変形実施態様を示す平面図である。
【符号の説明】
Ａ　　　積層型回転研磨具
１　　　研磨ディスク
２　　　アルミ箔（金属箔）
３　　　基材
４　　　網目開口部
【図１】
2004017168.tif 000003
【図２】
2004017168.tif 000004
【図３】
2004017168.tif 000005
【図４】
2004017168.tif 000006
【図５】
2004017168.tif 000007
【図６】
2004017168.tif 000008